(57)【要約】【課題】  靴の形状の工夫により外反母趾を予防する靴を提供する。【解決手段】  靴１は、靴底２と、靴底２上に配された甲被３とを備える。甲被３は、第一足指側の側面部１１と第一足指の前方にある第一足指前面部１２とを有する。甲被３の側面部１１が、第一足指の付け根の関節に相当する関節位置Ｐａよりも後方にある第１位置Ｐ１と第一足指の指先に相当する指先位置Ｐｂよりも前方にあり第一足指前面部１２よりも後方にある第２位置Ｐ２との間の区間１６で略直線状である。靴底２の内面７が、第一足指Ｆ１と第二足指Ｆ２の間に相当する位置に、甲被３の側面部１１の区間１６に略平行な突条部８を有する。【選択図】  図２
2017080270.tif 000002
【特許請求の範囲】
【請求項１】
外反母趾を予防するための靴であって、靴底と、前記靴底上に配された甲被とを備え、前記甲被は、第一足指側の側面部と前記側面部に連なり前記第一足指の前方にある第一足指前面部とを有し、前記甲被の前記側面部が、第一足指の付け根の関節に相当する関節位置よりも後方にある第１位置と前記第一足指の指先に相当する指先位置よりも前方にあり前記第一足指前面部よりも後方にある第２位置との間の区間で略直線状であり、前記靴底の内面が、前記第一足指と前記第二足指の間に相当する位置に、前記甲被の前記側面部の前記区間に略平行な突条部を有する、靴。
【請求項２】
前記突条部は、前記第一足指側の第１面と前記第二足指側の第２面とを有し、前記第２面の斜度が前記第１面の斜度よりも急峻である、請求項１に記載の靴。
【請求項３】
前記突条部の前端の幅が後端の幅よりも広い、請求項１または２に記載の靴。
【請求項４】
前記突条部の前端の高さが後端の高さよりも高い、請求項１乃至３の何れかに記載の靴。
【発明の詳細な説明】
【技術分野】
【０００１】
本発明は、外反母趾を予防するための靴に関する。
【背景技術】
【０００２】
外反母趾は、第一足指（親指）の指先が外側に向けて変形する症状をいう。ここで、外側は、身体の中心軸から遠い位置を指し、内側は、身体の中心線に近い位置を指す。従来、外反母趾を予防するため、第一足指の指先が内側に向かうように設計された靴が提案されている。例えば、特許文献１は、第一足指と第二足指（人差指）の間を通過して第一足指を内側に向けて引張ることが可能な帯体を備えた靴を開示している（段落００１６、００２８参照）。また、特許文献２は、第一足指と第二足指の間の位置に、第一足指を内側に向けて押圧することが可能な仕切部材を備えた靴を開示している（段落００１０参照）。
【先行技術文献】
【特許文献】
【０００３】
【特許文献１】特開２０１０−１６２２６８号公報
【特許文献２】特開２００１−１２８７０５号公報
【発明の概要】
【発明が解決しようとする課題】
【０００４】
通常の靴は、靴の甲被のつま先部分が先細り形状となっている。靴を履いている際に、第一足指の指先は、甲被の内面を押圧し、甲被の内面からその反力を受ける。このとき、甲被のつま先部分が先細り形状であるため、第一足指の指先が受ける反力は、外側に向かう成分を含む。特に、強く地面をけり出す際または斜面を下る際など、足のつま先に体重がかかる場合に、靴内で足の位置が前方にずれて、第一足指の指先が甲被の内面から強い反力を受ける。第一足指の指先がこのような反力を恒常的または断続的に受けることが外反母趾の一つの要因と考えられている。
【０００５】
上述の通り、特許文献１，２は、外反母趾を予防するための靴を提案している。しかしながら、これらの靴は、靴の甲被のつま先部分が先細り形状となっているため、第一足指の指先が外側に向かう原因を排除しようというものではない。
本発明は、第一足指の指先が甲被の内面から反力を受けにくくして外反母趾を予防する靴を提供する。
【課題を解決するための手段】
【０００６】
外反母趾を予防するための靴であって、靴底と、前記靴底上に配された甲被とを備え、前記甲被は、第一足指側の側面部と前記側面部に連なり前記第一足指の前方にある前面部とを有し、前記甲被の前記側面部が、第一足指の付け根の関節に相当する関節位置よりも後方にある第１位置と前記第一足指の指先に相当する指先位置よりも前方にあり前記前面部よりも後方にある第２位置との間の区間で略直線状であり、前記靴底の内面が、前記第一足指と前記第二足指の間に相当する位置に、前記甲被の前記側面部の前記区間に略平行な突条部を有する、靴。
【発明の効果】
【０００７】
足の位置が靴内で前方にずれたとき、第一足指は靴底の内面の突条部に沿って移動する。靴の甲被の側面部が第一足指の指先位置よりも前方まで略直線状であり且つ突条部に略平行であるから、第一足指は、突条部に沿って移動しても甲被の内面には当接しにくい。従って、第一足指が甲被の内面を押圧して甲被の内面から反力を受けるという事態を生じにくくすることができ、ひいては外反母趾を予防することができる。
【図面の簡単な説明】
【０００８】
【図１】本発明の実施形態に係る靴の一部切欠き斜視図である。
【図２】本発明の実施形態に係る靴の靴底の上面図である。
【図３】本発明の実施形態に係る靴の断面図である。
【図４】本発明の別の実施形態に係る靴の断面図である。
【図５】本発明のさらに別の実施形態に係る靴の靴底の上面図である。
【発明を実施するための形態】
【０００９】
本発明を実施するための形態を、図面を参照して詳細に説明する。本明細書では、身体の中心軸を基準とした内外を示す場合は「内側」、「外側」の用語を利用する。靴の内外を示す場合は、単に「内」、「外」の用語を利用する。また、足のつま先を「前」、足の踵を「後」とする。
図１に示すように、靴１は、靴底２と、靴底２上に配された甲被３を備える。靴１は、左足用の靴である。右足用の靴は、左足用の靴と対称形であるから説明を省略する。
【００１０】
靴底２は、表底４、中底５および中敷６を備える。靴底２の内面７は、第一足指と第二足指との間の位置に突条部８を有する。表底４、中底５および中敷６は、それぞれ、本革、合皮、ゴム、樹脂などからなる。靴底２は、３層構造であるが、これに限らず、単層構造、２層構造などでもよい。
甲被３は、靴底２に糸で縫合されており、本革、合皮、ゴム、樹脂などからなる。甲被３は、単層構造であるが、これに限らず、２層構造、３層構造などでもよい。また、甲被３は靴底２と別体構造であるが、これに限らず、靴底２と一体構造でもよい。
【００１１】
図２は、靴底２の上面図である。甲被３の内面９の輪郭を二点鎖線で示す。靴１を履いたときに足裏が靴底２に接触する領域の輪郭を破線で示す。通常、足のサイズは人それぞれであるから、靴メーカーは、複数のサイズの靴を提供している。図２の足裏の輪郭線は、適切なサイズの靴を履いたときの足裏を示している。また、強く地面をけり出す際または斜面を下る際など、体重がつま先にかかる場合、靴１内で足の位置が標準の位置よりも前方にずれることがある。図２の足裏の輪郭線は、そのような状況ではなく、靴１内で足の位置が標準の位置にある状況の足裏を示している。
【００１２】
甲被３は、第一足指Ｆ１側の側面部１１、側面部１１に連なり第一足指Ｆ１の前方にある第一足指前面部１２、第一足指前面部１２に連なり第二乃至第五足指Ｆ２〜Ｆ５の前方にある第二乃至第五足指前面部１３、第二乃至第五足指前面部１３に連なる第五足指Ｆ５側の側面部１４および側面部１４と側面部１１に連なり踵の後方にある後面部１５を有する。
【００１３】
側面部１１は、第１位置Ｐ１と第２位置Ｐ２の間の区間１６において略直線状である。第１位置Ｐ１は、第一足指Ｆ１の付け根の関節に相当する関節位置Ｐａよりも後方にあり、足の土踏まずに相当する位置Ｐｃよりも前方にある。第１位置Ｐ１と関節位置Ｐａとの距離は、靴のサイズにもよるが、例えば、１センチメートル以上２センチメートル以下である。第２位置Ｐ２は、第一足指Ｆ１の指先に相当する指先位置Ｐｂよりも前方にあり第一足指前面部１２よりも後方にある。第２位置Ｐ２と指先位置Ｐｂとの距離は、靴のサイズにもよるが、例えば、０．５センチメートル以上２センチメートル以下である。側面部１１における第１位置Ｐ１よりも後方の区間は、足の土踏まずの形状に沿って湾曲して、後面部１５に滑らかにつながる曲線状である。側面部１１における第２位置Ｐ２よりも前方の区間は、第一足指前面部１２に滑らかにつながる曲線状である。
【００１４】
第一足指前面部１２は、略直線状または緩やかに湾曲した曲線状であり、側面部１１の区間１６に略直交する。第二乃至第五足指前面部１３は、第二足指Ｆ２、第三足指Ｆ３、第四足指Ｆ４および第五足指Ｆ５の各指先を結ぶ曲線に沿う曲線状である。側面部１４は、足の外側の側面の形状に沿って湾曲して、後面部１５に滑らかにつながる曲線状である。後面部１５は、踵の形状に沿って湾曲する曲線状である。
【００１５】
突条部８は、靴の前後方向に長く、側面部１１の区間１６に略平行である。突条部８の後端２１は、第一足指Ｆ１と第二足指Ｆ２の指股よりも前方に位置し、突条部８の前端２２は、第一足指Ｆ１の指先よりも前方に位置する。突条部８の高さは、例えば、５ミリメートル以上２０ミリメートル以下である。突条部８の頂部と甲被３との間に隙間があってもよく、隙間がなく突条部８と甲被３とが連結していてもよい。
【００１６】
突条部８は、足の位置が靴１内で前方にずれたとき、第一足指Ｆ１の移動方向を規定する役割または第一足指Ｆ１を案内する役割を果たす。靴１の甲被３の側面部１１が指先位置Ｐｂよりも前方の第２位置Ｐ２まで略直線状であり且つ突条部８に略平行であるから、第一足指Ｆ１が突条部８に沿って移動しても甲被３の側面部１１の内面９には当接しにくい。つまり、靴１内における突条部８に沿う前方に、甲被３の側面部１１、甲被３の第一足指前面部１２および靴底２の突条部８で規定された、第一足指Ｆ１の移動を受け入れる空間が確保されている。従って、第一足指Ｆ１が甲被３の内面９を押圧して甲被３の内面９から反力を受けるという事態を生じにくくすることができ、ひいては外反母趾を予防することができる。
【００１７】
また、図３に示されるように、突条部８は、略三角形状の横断面を有し、第一足指Ｆ１側の第１面２３と、第二足指Ｆ２側の第２面２４を有する。第１面２３および第２面２４は、何れも斜面である。ここで、斜面とは、靴底２の内面７の平坦面部分に平行ではなく、垂直でもないことをいう。第１面２３の斜度は、これに限られないが、例えば、４５°〜７０°である。第２面２４の斜度は、これに限られないが、例えば、６０°〜９０°である。第１面２３は、第一足指Ｆ１に接触する領域では僅かに凹んだ凹面状である。同様に、第２面２４は、第二足指Ｆ２に接触する領域では僅かに凹んだ凹面状である。凹面の曲率は、第一足指Ｆ１および第二足指Ｆ２の形状に合わせて人間工学的に設計されている。これらにより、第一足指Ｆ１および第二足指Ｆ２のフィット感を得ることができる。なお、第１面２３および第２面２４は、必ずしも凹面状であることを要さず、平面状または凸面状であってもよい。
【００１８】
また、図３に示されるように、第一足指Ｆ１は、突条部８の第１面２３に部分的に乗り上げることとしてもよい。つまり、突条部８の第１面２３は、第一足指Ｆ１に踏まれる位置まで延在していてもよい。第１面２３は、第一足指Ｆ１の荷重による押圧力を受けて、その反力を第一足指Ｆ１に付与する。第１面２３が斜面なので、この反力は内側に向かう成分を含む。従って、第一足指Ｆ１の指先を自然に内側に向けることができる。また、図３に示されるように、第二足指Ｆ２は、突条部８の第２面２４に乗り上げないこととしてもよい。つまり、突条部８の第２面２４は、第二足指Ｆ２に踏まれる位置まで延在しなくてもよい。これにより、第二足指Ｆ２は、靴底２の内面７の平坦面部分を踏むことになる。これは、通常の靴を履いたときと同じ状況なので指先の違和感を無くすことができる。
【００１９】
さらに、図３に示されるように、第２面２４の斜度は、第１面２３の斜度よりも急峻であることとしてもよい。第一足指Ｆ１の指先が内側に向かうと、第二足指Ｆ２の指先もそれに伴い内側に向かおうとする。第２面２４の斜度を第１面２３の斜度よりも急峻にすることで、第二足指Ｆ２の指先の内側に向かう移動を規制しやすくできる。つまり、第二足指Ｆ２の指先が内側に向かい突条部８を乗り越えてしまうことを防止できる。これにより、第一足指Ｆ１を内側に向かわせつつ第二足指Ｆ２を適切な位置に留めることができ、外反母趾の予防の効果を高めることができる。なお、第１面２３が凹面状の場合、第１面２３の斜度は、厳密には第１面２３上のそれぞれの位置で異なる。この場合、第１面２３の斜度は、便宜的に、突条部８の頂部と突条部８の裾野部を結ぶ直線と靴底２の内面７の平坦面部分との成す角で規定できる。第２面２４の斜度についても同様である。
【００２０】
また、図２に示されるように、突条部８は、上面視略三角形状を有する。このように、突条部８の前端２２の幅が後端２１の幅よりも広いこととしてもよい。第一足指Ｆ１は、強く地面をけり出す際または斜面を下る際など、体重が足のつま先にかかる場合に前方にずれやすい。つまり、足の位置が前方にずれるときほど、第一足指Ｆ１が靴底２の内面７を強く押圧して強い反力を受ける。そして、第一足指Ｆ１が強い反力を受けるときこそ、第一足指Ｆ１の指先を内側に向かわせることが望まれる。突条部８の前端２２の幅を後端２１の幅よりも広くすることで、第一足指Ｆ１が前方にずれるほど、第一足指Ｆ１が突条部８を踏む面積を増加することができ、ひいては第一足指Ｆ１が内側に向かう力を受けやすくできる。突条部８の幅は、後端２１から前端に向けて段階的に広くしてもよく、連続的に広くしてもよい。ただし、図２に示すように連続的に広くすれば、段階的に広くする場合に比べて突条部８の第１面２３および第２面２４が滑らかとなり、指先の違和感を少なくすることができる。
【００２１】
また、突条部８が上面視略三角形状であることに加え、または、それとは別に、第１面２３の斜度が、後端２１から前端２２まで次第に変化していてもよい。例えば、第１面２３の後端２１の斜度が急峻であり、前端２２の斜度が緩やかであることとしてもよい。これにより、第一足指Ｆ１が前方にずれるほど、第一足指Ｆ１が突条部８を踏む面積を増加することができ、ひいては第一足指Ｆ１が内側に向かう力を受けやすくできる。
【００２２】
さらに、図１に示されるように、突条部８の前端２２の高さが後端２１の高さよりも高いこととしてもよい。靴１を履く際、第一足指Ｆ１および第二足指Ｆ２を突条部８を隔てた両側の空間にそれぞれ進ませることになる。突条部８の高さが比較的高い場合、靴１を履く際に第一足指Ｆ１および第二足指Ｆ２の左右方向の動きの自由度が少なく、足入れに気を使うことになる。一方、靴１を履いてしまえば、第一足指Ｆ１の移動方向を規定する役割または第一足指Ｆ１を案内する役割を果たすために突条部８の高さは比較的高めに確保されていることが望まれる。突条部８の前端２２の高さを後端２１の高さよりも高くすることで、靴１を履く際の足入れもよく、しかも靴１を履いてからの突条部８の役割を適切に発揮させることができる。突条部８の高さは、後端２１から前端に向けて段階的に高くしてもよく、連続的に高くしてもよい。ただし、図１に示すように連続的に高くすれば、段階的に高くする場合に比べて突条部８の稜線部分が滑らかとなり、指先の違和感を少なくすることができる。
【００２３】
図３に示される靴では、突条部８は、中敷６に形成されている。中敷６を、例えば、ウレタンフォーム等の樹脂で形成する場合、金型を利用して所望の形状に成型可能である。また、中敷６が中底５の表面形状を反映する程度に薄くて柔軟性を有する場合、中底５に突条部を設けることで靴底２の突条部８を形成することとしてもよい。突条部８は、靴底２の内面７に現れていればよく、靴底２のどの層の突条部によるものかは問われない。また、突条部８は、一体成型に限らず、別体で成型したものを接着することで形成してもよい。
【００２４】
図４（ａ）に別の実施形態の突条部の断面形状を示す。突条部８ａは、略同じ斜度を有する第１面２３および第２面２４を有する。図４（ａ）に示されるように、第二足指Ｆ２は、突条部８ａの第２面２４に部分的に乗り上げることとしてもよい。つまり、突条部８ａの第２面２４は、第二足指Ｆ２に踏まれる位置まで延在していてもよい。第一足指Ｆ１が内側に向かおうとすると、第二足指Ｆ２もそれに伴い内側に向かおうとする。このとき、第二足指Ｆ２の内側への移動を完全に規制すると、第一足指Ｆ１と第二足指Ｆ２の間が広がり過ぎる可能性がある。第２面２４を略垂直にするのではなく、斜面にすることで、ある程度、第二足指Ｆ２の内側への移動の自由度を与え、第一足指Ｆ１と第二足指Ｆ２の間が広がり過ぎるのを防止することができる。
【００２５】
図４（ｂ）に別の実施形態の突条部の断面形状を示す。突条部８ｂは、略垂直な第１面２３および第２面２４を有する。図４（ｂ）に示されるように、第一足指Ｆ１および第二足指Ｆ２は、靴底２の内面７の平坦面部分を踏むことになる。これにより、通常の靴と同じ履き心地を得ることができる。
図５に別の実施形態の突条部の上面形状を示す。突条部８ｃは、後端２１から前端２２まで略一定の幅を有し、後端２１から前端２２まで略一定の高さを有する。このような形状でも、突条部８ｃに沿う前方に、甲被３の側面部１１、甲被３の第一足指前面部１２および靴底２の突条部８ｃで規定された、第一足指Ｆ１の移動を受け入れる空間が確保されている。従って、第一足指Ｆ１が甲被３の内面９を押圧して甲被３の内面９から反力を受けるという事態を生じにくくすることができ、ひいては外反母趾を予防することができる。
【００２６】
上述の通り、本発明の各実施形態に係る靴は、甲被３の側面部１１と甲被３の第一足指前面部１２とで第一足指Ｆ１の前方を箱形または角形とした靴となっている。このような形状の靴が、特に、幼児または女性の将来における外反母趾の対策に有効であると考える。
【産業上の利用可能性】
【００２７】
本発明は、外反母趾を予防するための靴に利用可能である。
【符号の説明】
【００２８】
１  靴
２  靴底
３  甲被
４  表底
５  中底
６  中敷
７  靴底の内面
８，８ａ，８ｂ，８ｃ  突条部
９  甲被の内面
１１  第一足指側の側面部
１２  第一足指前面部
１３  第二乃至第五足指前面部
１４  第五足指側の側面部
１５  後面部
１６  第１位置Ｐ１と第２位置Ｐ２との間の区間
２１  突条部の後端
２２  突条部の前端
【図１】
2017080270.tif 000003
【図２】
2017080270.tif 000004
【図３】
2017080270.tif 000005
【図４】
2017080270.tif 000006
【図５】
2017080270.tif 000007
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
外反母趾を予防するための靴であって、靴底と、前記靴底上に配された甲被とを備え、前記甲被は、第一足指側の側面部と前記側面部に連なり前記第一足指の前方にある第一足指前面部とを有し、前記甲被の前記側面部が、第一足指の付け根の関節に相当する関節位置よりも後方にある第１位置と前記第一足指の指先に相当する指先位置よりも０．５センチメートル以上２センチメートル以下前方にあり前記第一足指前面部よりも後方にある第２位置との間の区間で略直線状であり、前記靴底の内面が、前記第一足指と前記第二足指の間に相当する位置に、前記甲被の前記側面部の前記区間に略平行な突条部を有する、靴。
【請求項２】
前記突条部は、前記第一足指側の第１面と前記第二足指側の第２面とを有し、前記第２面の斜度が前記第１面の斜度よりも急峻であり、前記第一足指は前記第１面に部分的に乗り上げるとともに、前記第二足指は前記第２面に乗り上げず前記靴底の内面の平坦面を踏む
請求項１に記載の靴。
【請求項３】
前記突条部の前端の幅が後端の幅よりも広い、請求項１または２に記載の靴。
【請求項４】
前記突条部の前端の高さが後端の高さよりも高い、請求項１乃至３の何れかに記載の靴。
【手続補正２】
【補正対象書類名】明細書
【補正対象項目名】０００６
【補正方法】変更
【補正の内容】
【０００６】
外反母趾を予防するための靴であって、靴底と、前記靴底上に配された甲被とを備え、前記甲被は、第一足指側の側面部と前記側面部に連なり前記第一足指の前方にある前面部とを有し、前記甲被の前記側面部が、第一足指の付け根の関節に相当する関節位置よりも後方にある第１位置と前記第一足指の指先に相当する指先位置よりも０．５センチメートル以上２センチメートル以下前方にあり前記前面部よりも後方にある第２位置との間の区間で略直線状であり、前記靴底の内面が、前記第一足指と前記第二足指の間に相当する位置に、前記甲被の前記側面部の前記区間に略平行な突条部を有する、靴。